(57)【要約】【課題】    天秤錘の縦方向の軸部に加え、横方向の軸部が保持して破損を防止した天秤錘の取り付け板を提供すること。【解決手段】    釣り用天秤錘の取付板１は、基板２の表面２ａ側に設けた錘の保持部３と縦軸保持部４、４及び横軸保持部５で形成されている。錘保持部３は、基板２と一体に形成され、上下方向に収納孔３ａを有し、カップ状をしており、天秤錘Ｔの錘Ｏが収まって保持されるようになっている。基板２の表面２ａ側の上方側には、天秤錘Ｔの縦軸Ｊ１を保持する一対の面ファスナーからなる縦軸保持部４、４がそれぞれ錘保持部３の上方に対応して設けられている。基板２の表面２ａ側の中央側には、天秤錘Ｔの横軸Ｊ２を保持する面ファスナーからなる横軸保持部５が錘保持部３の側方に設けられている。釣り用天秤錘の取付板１は孔６を介してビス７等でクーラーボックスＫ等に取り付けることができる。【選択図】        図１
2005269964.tif 000002
【特許請求の範囲】
【請求項１】
錘と軸を有する天秤錘が取り付け可能な釣り用天秤錘の取付板において、基板に錘保持部を設け、前記基板の前記錘保持部の上方側と側方側にそれぞれ軸保持部を設けたことを特徴とする釣り用天秤錘の取付板。
【請求項２】
軸保持部は、面ファスナーで形成したことを特徴とする請求項１記載の釣り用天秤錘の取付板。
【請求項３】
錘保持部は、上方側に開口を有するカップ状の受け部からなることを特徴とする請求項１または２記載の釣り用天秤錘の取付板。
【発明の詳細な説明】
【技術分野】
【０００１】
本発明は、タックルケースやクーラーボックス等の釣り具に取り付けて使用する釣り用天秤錘の取付板の改良に関する。
【背景技術】
【０００２】
従来から魚釣りでは、釣り具をすぐに取り出して使用出来るようにタックルケースやクーラーボックスの等の身近に置いて使用する釣り道具類の外側に取り付けておくことがよくあり、投げ釣り等においては、頻繁に使用する天秤錘を取付板に保持させて、これをタックルケースやクーラーボックスの側面に止着してこれを一緒に持ち歩いて釣りが行なわれていた。
【０００３】
特許文献１には、クーラーボックス等に取り付ける天秤錘の取付板が示されている。
この取付板は、並設した複数の錘の保持環とその上方に天秤の縦方向の軸部の狭持部を有し、基板の周辺にはクーラーボックス等に取り付ける掛け孔が設けられている。
【０００４】
しかし、天秤錘には縦方向の軸部のみを有するものの他に縦方向の軸部と横方向の軸部の両方を有するものがあるため、縦方向の軸部のみを狭持しただけでは横方向の軸部が突出し、誤って折り曲げやすいという欠点を有していた。
【特許文献１】特公昭５５−３０３３０号公報
【発明の開示】
【発明が解決しようとする課題】
【０００５】
解決しようとする課題は、天秤錘の横方向の軸部が保持出来ず、突出するため誤って折り曲げやすいことである。
【０００６】
本発明の目的は前記欠点に鑑み、天秤錘の縦方向の軸部に加え、横方向の軸部が保持でき、その破損を防止した天秤錘の取り付け板を提供することである。
【課題を解決するための手段】
【０００７】
上記課題を解決するために、
請求項１に係わる本発明は、錘と軸を有する天秤錘が取り付け可能な釣り用天秤錘の取付板において、基板に錘保持部を設け、前記基板の前記錘保持部の上方側と側方側にそれぞれ軸保持部を設けたことを要旨とするものである。
請求項２に係わる本発明は、軸保持部は、面ファスナーで形成したことを要旨とするものである。
請求項３に係わる本発明は、錘保持部は、上方側に開口を有するカップ状の受け部からなることを要旨とするものである。
【発明の効果】
【０００８】
請求項１の発明によると天秤錘の縦方向の軸部と横方向の軸部が保持でき、軸部の破損を防止することができる。
請求項２の発明によると軸部の位置が異なっても容易に取り付けることができる。
請求項３の発明によると錘の脱落が防止され確実に保持される。
【発明を実施するための最良の形態】
【０００９】
釣り用天秤錘の取付板１は、基板２と、基板２の表面２ａ側に設けた錘の保持部３と軸保持部（縦軸保持部４、４及び横軸保持部５）で形成されている。
【００１０】
基板２の表面２ａ側の下方側には、錘保持部３が設けられており、この錘保持部３は、基板２と一体に形成され、上下方向に収納孔３ａを有し、カップ状をした受け部で、その上方に天秤錘Ｔの錘Ｏを差し込むための開口３ｂと下方に水抜き孔３ｃが設けられ、天秤錘Ｔの錘Ｏが収納孔３ａ内に収まって保持されるようになっている。
【００１１】
基板２の表面２ａ側の上方側には、天秤錘Ｔの縦軸Ｊ１を保持する一対の縦軸保持部４、４が設けられ、縦軸保持部４、４は、それぞれ錘保持部３の上方に対応して設けられた面ファスナーからなっている。
【００１２】
基板２の表面２ａ側の中央側には、天秤錘Ｔの横軸Ｊ２を保持する横軸保持部５が設けられ、横軸保持部５は、錘保持部３の側方に設けられた面ファスナーからなっている。
【００１３】
釣り用天秤錘の取付板１はクーラーボックスＫ等に取り付け可能で、クーラーボックスＫの側面に基板２の孔６を介してビス７等で釣り用天秤錘の取付板１の錘保持部３の開口３ｂが上方を向くようにして取り付けることができる。
【実施例１】
【００１４】
以下、図示の実施例によって本発明を説明すると、図１は釣り用天秤錘の取付板の正面図、図２は釣り用天秤錘の取付板の側面断面図、図３は釣り用天秤錘の取付板の平面断面図、図４は釣り用天秤錘の取付板をクーラーボックスに取り付けた状態の正面図である。
【００１５】
釣り用天秤錘の取付板１は、基板２と、基板２の表面２ａ側に設けた錘の保持部３と軸保持部（縦軸保持部４、４及び横軸保持部５）で形成されている。
【００１６】
基板２は、合成樹脂等により平面状の表面２ａと裏面２ｂを有する平板で形成され、その周縁側にはクーラーボックスやタックルボックス等の釣り具に止着するための孔６が表面２ａから裏面２ｂに貫通するようにして設けられている。
【００１７】
基板２の表面２ａ側の下方側には、錘保持部３が設けられており、この錘保持部３は、基板２と一体に形成され、上下方向に収納孔３ａを有し、カップ状の受け部となっており、その上方に天秤錘Ｔの錘Ｏを差し込むための開口３ｂと下方に水抜き孔３ｃが設けられ、収納孔３ａは下方側が狭くなって天秤錘Ｔの錘Ｏが収納孔３ａ内に収まって保持されるようになっている。
【００１８】
基板２の表面２ａ側の上方側には、天秤錘Ｔの縦軸Ｊ１を保持する一対の縦軸保持部４、４が設けられている。
縦軸保持部４、４は、それぞれ錘保持部３の上方に対応して設けられた面ファスナーからなり、雌ファスナー部４ｄが設けられたファスナーテープ４ｃが雌ファスナー部４ｄを上方側（表側）にして基板２の表面２ａに取り付けられ、雄ファスナー部４ｂが設けられたファスナーテープ４ａが雌ファスナー部４ｂを下方側（裏側）にして雌ファスナー部４ｄが設けられたファスナーテープ４ｃに重ねて設けられる。
【００１９】
ファスナーテープ４ａは、一端側をファスナーテープ４ｃと共に基板２に縫着した固定部４ｅとその他端側を解放部４ｆとし、ファスナーテープ４ｃの雌ファスナー部４ｄとファスナーテープ４ａの雄ファスナー部４ｂが向かい合わせて着脱自在に止着されるようになっている。
【００２０】
これら縦軸保持部４、４を形成する面ファスナーは天秤錘Ｔの縦軸Ｊ１を横切るように横長に設けられ、ファスナーテープ４ａを開閉して、ファスナーテープ４ｃの雌ファスナー部４ｄとファスナーテープ４ａの雄ファスナー部４ｂ間に天秤錘Ｔの縦軸Ｊ１を狭持することができる。
【００２１】
一方、基板２の表面２ａ側の中央側には、天秤錘Ｔの横軸Ｊ２を保持する横軸保持部５が設けられている。
横軸保持部５は、錘保持部３の側方に設けられた面ファスナーからなり、雌ファスナー部５ｄが設けられたファスナーテープ５ｃが雌ファスナー部５ｄを上方側（表側）にして基板２の表面２ａに取り付けられ、雄ファスナー部５ｂが設けられたファスナーテープ５ａが雌ファスナー部５ｂを下方側（裏側）にして雌ファスナー部５ｄが設けられたファスナーテープ５ｃに重ねて設けられる。
【００２２】
ファスナーテープ５ａは、一端側（下方側）をファスナーテープ５ｃと共に基板２に縫着した固定部５ｅとその他端側（上方側）を解放部５ｆとし、ファスナーテープ５ｃの雌ファスナー部５ｄとファスナーテープ５ａの雄ファスナー部５ｂが向かい合わせて着脱自在に止着されるようになっている。
【００２３】
これら横軸保持部５を形成する面ファスナーは、錘保持部３の開口３ｄより上方側で、錘保持部３の左右にずれた位置（側方側）に設け、天秤錘Ｔの横軸Ｊ２を横切るように縦長に設けられ、ファスナーテープ５ａを開閉して、ファスナーテープ５ｃの雌ファスナー部５ｄとファスナーテープ５ａの雄ファスナー部５ｂ間に天秤錘Ｔの横軸Ｊ２を狭持することができる。
【００２４】
これら軸保持部（縦軸保持部４、横軸保持部５）は、ベルベット式面ファスナーで形成しているため天秤錘Ｔの縦軸Ｊ１、横軸Ｊ２の位置をずらせて保持することができ、複数の軸を容易に保持でき、場合によってはファスナーテープ４ａ、５ａを開かなくても天秤錘Ｔの縦軸Ｊ１、横軸Ｊ２を差し入れたり引き抜いたりすることができる。
【００２５】
釣り用天秤錘の取付板１をクーラーボックスＫに取り付ける時は、図４のようにクーラーボックスＫの側面に基板２の孔６を介してビス７等で錘保持部３の開口３ｂが上方を向くようにして取り付ける。
【００２６】
釣り用天秤錘の取付板１に天秤錘Ｔを止着するときは、それぞれの錘保持部３の収納孔３ａにそれぞれの天秤錘Ｔの錘Ｏを差し込んで収納孔３ａの内面で受けて保持し、縦軸Ｊ１を縦軸保持部４で、横軸Ｊ２を横軸保持部５でそれぞれ狭持して保持する。
このように、天秤錘Ｔの横軸Ｊ２が保持されて突出が防止されると横軸Ｊ２の破損が防止できる。
複数の天秤錘Ｔを取り付けるときは、それぞれの横軸Ｊ２をずらせて横軸保持部５で保持することができ、天秤錘Ｔを釣り用天秤錘の取付板１から取り外すときに他の天秤錘Ｔの横軸に絡みにくく取り出しが容易になる。
【００２７】
また、横軸保持部５のファスナーテープ５ａは、下方側をファスナーテープ５ｃと共に基板２に縫着して固定部５ｅとし上方側を解放部５ｆとしたため、上方側の解放部５ｆから横軸保持部５の面ファスナを開放すると取り出そうとする天秤錘Ｔの横軸Ｊ２だけが取り外しでき、他の天秤錘Ｔの横軸Ｊ２は外れずに再び横軸保持部５に保持することができる。
【００２８】
なお、横軸保持部５の面ファスナは、釣り用天秤錘の取付板１の中央側に設けたが、釣り用天秤錘の取付板１の左右の周縁側に設けても良い。
また、釣り用天秤錘の取付板１に孔６を設けてクーラーボックス等に取り付けるようにしたが、止着用のベルトを設けてもよいし、また、孔を有していなくてもよく、この場合接着等で取り付けることができる。
【産業上の利用可能性】
【００２９】
本発明は、魚釣りに使用することができる。
【図面の簡単な説明】
【００３０】
【図１】本件発明の釣り用天秤錘の取付板の正面図である。
【図２】同釣り用天秤錘の取付板の側面断面図である。
【図３】同釣り用天秤錘の取付板の平面断面図である。
【図４】同釣り用天秤錘の取付板をクーラーボックスに取り付けた状態の正面図である。
【符号の説明】
【００３１】
１  釣り用天秤錘の取付板
２  基板
３  錘保持部
４  縦軸保持部
５  横軸保持部
Ｔ  天秤錘
Ｋ  クーラーボックス
【図１】
2005269964.tif 000003
【図２】
2005269964.tif 000004
【図３】
2005269964.tif 000005
【図４】
2005269964.tif 000006